(57)【要約】【課題】ユーザの手間を抑制しつつ、画像データに対してユーザの嗜好を反映した評価を行う。【解決手段】一実施形態の画像評価装置１０は、画像データに対する予め定められた操作であって、当該画像データの評価値を入力する操作とは異なる操作に対応付けられる評価値を規定する一又は複数の評価ルールを格納するルール格納部１３と、一の画像データに対するユーザによる一又は複数の操作を含む操作履歴を取得する履歴取得部１６と、一の画像データについての操作履歴とルール格納部１３に格納された評価ルールとに基づいて、一の画像データの評価値を決定する評価部１７と、を備える。【選択図】図１
2018077711.tif 000002
【特許請求の範囲】
【請求項１】
画像データに対する予め定められた操作であって、当該画像データの評価値を入力する操作とは異なる操作に対応付けられる評価値を規定する一又は複数の評価ルールを格納するルール格納部と、
一の画像データに対するユーザによる一又は複数の操作を含む操作履歴を取得する履歴取得部と、
前記一の画像データについての操作履歴と前記ルール格納部に格納された前記評価ルールとに基づいて、前記一の画像データの評価値を決定する評価部と、
を備える画像評価装置。
【請求項２】
一又は複数の画像データを格納するデータ格納部と、
前記データ格納部に格納された画像データを前記データ格納部から削除又は移動させることを指示する操作が受け付けられた場合に、当該画像データのデータサイズを縮小するデータ加工部と、を更に備える、
請求項１に記載の画像評価装置。
【請求項３】
前記履歴取得部は、前記一の画像データに対する複数の前記予め定められた操作を含む前記操作履歴を取得し、
前記評価部は、前記操作履歴に含まれる複数の前記予め定められた操作の各々に対応する評価値を算出し、複数の前記予め定められた操作の各々に対応する評価値に基づいて前記一の画像データの評価値を決定する、
請求項１又は２に記載の画像評価装置。
【請求項４】
前記ルール格納部は、前記予め定められた操作に複数の段階値のいずれかを対応付けた前記評価ルールを格納し、
前記評価部は、前記操作履歴に含まれる複数の前記予め定められた操作の各々が前記複数の段階値のいずれに対応付けられる操作であるかを判定し、前記複数の段階値の各々に対応付けられると判定された操作の数に基づいて、前記一の画像データの評価値を前記複数の段階値のいずれかに決定する、
請求項３に記載の画像評価装置。
【請求項５】
前記評価部は、前記操作履歴に含まれる複数の前記予め定められた操作の実行順序に基づいて、前記一の画像データの評価値を決定する、
請求項３に記載の画像評価装置。
【請求項６】
コンピュータを、
画像データに対する予め定められた操作であって、当該画像データの評価値を入力する操作とは異なる操作に対応付けられる評価値を規定する一又は複数の評価ルールを格納するルール格納部と、
一の画像データに対するユーザによる一又は複数の操作を含む操作履歴を取得する履歴取得部と、
前記一の画像データについての操作履歴と前記ルール格納部に格納された前記評価ルールとに基づいて、前記一の画像データの評価値を決定する評価部と、
として機能させる画像評価プログラム。
【発明の詳細な説明】
【技術分野】
【０００１】
本発明は、画像評価装置及び画像評価プログラムに関する。
【背景技術】
【０００２】
従来、画像データを評価分類する手法として、例えば下記特許文献１に開示された手法が知られている。この手法では、まず、ユーザによって、クラス分類が定められ、クラス毎の代表画像が決定される。続いて、一のクラスの代表画像に類似する画像として検索された画像データから当該一のクラスの正例が抽出され、その他のクラスの代表画像に類似する画像として検索された画像データから当該一のクラスの負例が抽出される。
【先行技術文献】
【特許文献】
【０００３】
【特許文献１】特開２０１０−９２４１３号公報
【発明の概要】
【発明が解決しようとする課題】
【０００４】
上記手法によれば、ユーザの嗜好に基づいて、各画像データを正例又は負例に評価分類することができると考えられる。しかしながら、上記手法においては、各画像データを評価分類するために、クラス分類を決定すると共にクラス毎の代表画像を決定するといったユーザによる前処理が必要となるため、ユーザの手間が発生する。
【０００５】
そこで、本発明の一側面は、ユーザの手間を抑制しつつ、ユーザの嗜好を反映した画像データの評価を行うことができる画像評価装置及び画像評価プログラムを提供することを目的とする。
【課題を解決するための手段】
【０００６】
本発明の一側面に係る画像評価装置は、画像データに対する予め定められた操作であって、当該画像データの評価値を入力する操作とは異なる操作に対応付けられる評価値を規定する一又は複数の評価ルールを格納するルール格納部と、一の画像データに対するユーザによる一又は複数の操作を含む操作履歴を取得する履歴取得部と、一の画像データについての操作履歴とルール格納部に格納された評価ルールとに基づいて、一の画像データの評価値を決定する評価部と、を備える。
【０００７】
本発明の一側面に係る画像評価装置では、画像データに対する予め定められた操作（例えば、削除操作、転送操作等）に対応付けられる評価値を規定する評価ルールがルール格納部に格納されている。この評価ルールとユーザによる画像データについての操作履歴とに基づいて、画像データの評価値が決定される。上記画像評価装置では、画像データに対してどのようなユーザ操作が実行されたかに基づいて評価が行われるため、ユーザの嗜好を反映した評価が実現される。また、画像データに対する通常のユーザ操作に基づいて当該画像データの評価が行われるため、画像データを評価するにあたって、ユーザによる特別な前処理が必要とされない。従って、上記画像評価装置によれば、ユーザの手間を抑制しつつ、ユーザの嗜好を反映した画像データの評価を行うことができる。
【発明の効果】
【０００８】
本発明の一側面によれば、ユーザの手間を抑制しつつ、ユーザの嗜好を反映した画像データの評価を行うことができる画像評価装置及び画像評価プログラムを提供することができる。
【図面の簡単な説明】
【０００９】
【図１】一実施形態に係る画像評価装置の機能構成を示すブロック図である。
【図２】画像評価装置のハードウェア構成を示すブロック図である。
【図３】ルール格納部に格納される評価ルール管理テーブルの一例を示す図である。
【図４】画像評価装置による第１の評価例を説明するための図である。
【図５】画像評価装置による第２の評価例を説明するための図である。
【図６】画像評価装置による第３の評価例を説明するための図である。
【図７】画像評価装置の動作の一例を示すフローチャートである。
【図８】一実施形態に係る画像評価プログラムのモジュール構成を示すブロック図である。
【発明を実施するための形態】
【００１０】
以下、添付図面を参照して、本発明の一実施形態について詳細に説明する。なお、図面の説明において同一又は相当要素には同一符号を付し、重複する説明を省略する。
【００１１】
図１は、本発明の一実施形態に係る画像評価装置１０の機能構成を示す図である。画像評価装置１０は、一又は複数の画像データを格納しており、これらの画像データに対するユーザ操作の履歴に基づいて当該画像データの評価値を決定する装置である。評価値とは、例えば、ユーザが画像データに対して抱いていると推定される印象を数値化した値である。本実施形態では一例として、画像評価装置１０は、カメラによる撮像機能を有し、撮像された画像データに対する各種操作（例えば、オープン、削除、保護、転送等）が実行可能とされたデジタルカメラに実装されている。ただし、画像評価装置１０は、これに限られない。例えば、画像評価装置１０は、スマートフォン及びタブレット端末等の携帯端末であってもよいし、カメラを有さないパーソナルコンピュータ及びサーバ装置等の据置型のコンピュータ装置であってもよい。
【００１２】
図２は、画像評価装置１０のハードウェア構成を示すブロック図である。詳しくは後述するが、図２に示すように、画像評価装置１０は、物理的には、一又は複数のプロセッサ１００１と、主記憶装置であるメモリ１００２と、ＳＤカード等のストレージ１００３と、データ送受信デバイスである通信装置１００４と、入力キー及びタッチセンサ等の入力デバイスである入力装置１００５と、液晶ディスプレイ等の出力装置１００６と、画像データを取得するためのカメラモジュール１００８と、を含むコンピュータシステムとして構成される。カメラモジュール１００８は、例えば、レンズ及び光学素子等の複数の光学系の部品と、それらを駆動制御する複数の制御系の回路と、受光素子によって取得された画像を表す電気信号をデジタル信号である画像信号に変換する信号処理系の回路部と、を含む。
【００１３】
図１に戻り、画像評価装置１０の機能構成について説明する。画像評価装置１０は、機能的な構成要素として、データ格納部１１と、履歴格納部１２と、ルール格納部１３と、操作受付部１４と、データ加工部１５と、履歴取得部１６と、評価部１７と、を備える。データ格納部１１、履歴格納部１２、及びルール格納部１３は、上述したメモリ１００２又はストレージ１００３によって実現される。
【００１４】
データ格納部１１は、カメラモジュール１００８によって取得された一又は複数の画像データを格納する。画像データは、予め設定された解像度（例えば４０００×３０００ピクセル）で撮像された画像の情報であり、各画素の画素値（例えば、輝度、明度、及び色彩等を数値で表現した値）を示す情報等を含む。また、画像データには、Ｅｘｉｆ（Exchangeable  image  file  format）情報等の補助情報が埋め込まれている。Ｅｘｉｆ情報は、例えば撮影日時、シャッター速度、及び焦点距離等のような、撮影条件及び撮影時のカメラの設定等に関する情報を含む。
【００１５】
本実施形態では一例として、データ格納部１１は、各画像データを格納する際に、各画像データのＥｘｉｆ情報の領域を拡張し、予め定められた操作（例えば、削除操作、保護操作、転送操作等）が実行されたか否かを示すフラグ情報（例えば、削除フラグ、保護フラグ、転送フラグ等）を格納するための領域を設定する。これらのフラグ情報は、予め定められた各操作が実行される際に後述する操作受付部１４によって更新され、後述する履歴取得部１６によって参照される。フラグ情報には、対応する操作が実行されていない場合には「０」が設定され、対応する操作が実行された場合には「１」が設定される。データ格納部１１に画像データが最初に格納された時点では、当該画像データに対して上述したような操作は実行されていないため、各操作に対応するフラグ情報には、デフォルト値として「０」が格納される。
【００１６】
履歴格納部１２は、データ格納部１１に格納された画像データに対して、画像評価装置１０を使用するユーザ（以下単に「ユーザ」）によって実行された操作の履歴（操作履歴）を格納する。例えば、操作履歴は、操作が実行された日時（操作日時）及び操作内容等を対応付けた情報である。ただし、操作履歴のデータ形式は特定の態様に限られない。例えば、操作履歴は、上述したＥｘｉｆ情報に格納されるフラグ情報と同様の情報、すなわち各操作が実行されたか否かを示す情報であってもよい。
【００１７】
画像データに対してユーザによって実行される操作は、ファイル操作と画像表示中の操作とを含む。ファイル操作は、例えば、複数の画像データがプレビュー表示された画面（プレビュー画面）上で一又は複数の画像データを操作対象に指定して実行される操作である。画像表示中の操作は、例えば、プレビュー画面上で選択された一の画像データがオープン（画像表示）された状態において、当該一の画像データに対して実行される操作である。
【００１８】
ファイル操作は、例えば、画像データのオープン、クローズ、削除、コピー、移動、属性変更（所有者変更及びパーミッション変更等）、リネーム、検索、圧縮、解凍、及び保存等のデータファイルに対する基本的な操作を含み得る。それ以外にも、ファイル操作は、画像データの保護、Ｗｉ−Ｆｉ転送、メール添付、Ｗｅｂサイトへのアップロード、購入、販売、所定のアプリケーションによる操作、印刷、並びに画像データに関連付けられるタグの付与、編集、及び削除等を含み得る。ここで、購入操作は、例えば画像データを販売するサイトによって販売される画像データのプレビュー画面において、購入対象の画像データを指定する操作である。販売操作は、例えばユーザが所有する画像データの中から他者に販売される画像データを指定する操作である。なお、タグは、画像データに関連付けられる情報である点で上述したＥｘｉｆ情報と一致するが、画像データとは分離されたテキストデータとして記録される点で、画像データに埋め込まれるＥｘｉｆ情報とは相違する。
【００１９】
画像表示中の操作は、例えば、画像データに対して所定の操作を実行するためのボタン押下、ダイヤル操作、キーボード押下、クリック、タップ、及びスクロール等の操作、画像の拡大、縮小、拡大位置の移動、回転、反転、及び表示色変更等の操作、画像内容の編集及び更新等の操作、並びに画像データに対するＥｘｉｆ情報の付与、編集、及び削除等の操作を含み得る。
【００２０】
なお、操作履歴には、上述したような操作の内容を補足する情報が含まれてもよい。例えば、上述した画像の印刷操作については、印刷に用いられた用紙及びプリンタ等を特定するための情報が操作履歴に含まれてもよい。また、画像データがオープンされた状態（画像がディスプレイ等の出力装置１００６に表示された状態）のように所定の時間継続する操作状態については、当該操作状態が継続した時間を示す情報（或いは、当該操作状態の開始時刻及び終了時刻を示す情報）が操作履歴に含まれてもよい。
【００２１】
ルール格納部１３は、画像データに対する予め定められた操作に対応付けられる評価値を規定する一又は複数の評価ルールを格納する。例えば、評価ルールは、予め定められた操作を示す情報と当該操作に対応付けられる評価値とを互いに関連付けて記憶する情報である。ここで、画像データに対する予め定められた操作とは、上述したような画像データに対する操作のうち、画像データの評価に用いられる操作として予め定められた操作である。なお、画像データに対する予め定められた操作には、画像データの評価値をユーザが直接入力するような操作は含まれない。画像評価装置１０は、このような評価値の直接入力を必要とすることなく、画像データに対する一般的な操作（すなわち、ユーザが画像データの評価を意識することなく行った操作）に基づいて、画像データの評価（評価値の決定）を行うことに主眼を置いているからである。
【００２２】
より具体的には、評価ルールは、例えば、画像データに対してユーザが抱いている印象を推定可能な操作に対し、推定される印象を反映した評価値を関連付けた情報である。評価ルールは、画像評価装置１０（本実施形態では一例として、デジタルカメラ）の出荷時に、画像評価装置１０に予め格納されていてもよいし、出荷後にインターネット等の通信ネットワークを介して画像評価装置１０に配信されてもよい。
【００２３】
評価値は、ユーザがマイナスの印象を抱いていること（画像データを気に入っていないこと）を示す「０」とユーザがプラスの印象を抱いていること（画像データを気に入っていること）を示す「１」との２値で表される。ただし、評価値の表現形式は、上記態様に限定されない。例えば、評価値は、マイナスの印象とプラスの印象との間の中間的な印象をユーザが抱いていること（特段悪い印象も良い印象も抱いていないこと）を示す段階値等を加えた３つ以上の段階値で表される情報であってもよい。また、評価値は、連続的な数値によって表現されるスコア（例えば０〜１００の範囲で、値が大きい程ユーザのプラスの印象が大きいことを示す情報等）であってもよい。
【００２４】
図３は、ルール格納部１３に格納される評価ルール管理テーブルの一例を示す図である。評価ルール管理テーブルの１行分の情報（１レコード）が、１つの評価ルールに相当する。この例では、評価ルールは、ルールＩＤと操作と評価値とを互いに関連付けた情報として構成されている。ルールＩＤは、評価ルールを一意に特定するための識別情報である。
【００２５】
ルールＩＤがＲ１の評価ルール（以下「評価ルールＲ１」）は、削除操作に対して評価値「０（負例）」が対応付けられることを規定している。この評価ルールは、ユーザによって削除された画像はユーザが出来栄えに納得していない画像である可能性が高いという考え方に基づいている。
【００２６】
ルールＩＤがＲ２の評価ルール（以下「評価ルールＲ２」）は、保護操作に対して評価値「１（正例）」が対応付けられることを規定している。保護操作は、画像データを保護指定する操作である。保護指定された画像データについては、削除操作が禁止される。すなわち、保護指定された画像データについては、保護指定が解除されるまで削除操作を実行することができない。これにより、データ格納部１１に残しておきたいとユーザが考えている画像データがユーザの誤操作等によって削除されることを防止することができる。上述の評価ルールは、ユーザによって保護指定された画像はユーザが削除せずに残しておきたいと考えた画像であり、ユーザが出来栄えに納得している画像である可能性が高いという考え方に基づいている。
【００２７】
ルールＩＤがＲ３の評価ルール（以下「評価ルールＲ３」）は、転送操作に対して評価値「１（正例）」が対応付けられることを規定している。転送操作は、デジタルカメラとしての画像評価装置１０からＷｉ−Ｆｉ通信及びＵＳＢケーブル等を介した有線通信等によってスマートフォン等の他の装置に画像データを転送（コピー）する操作である。上述の評価ルールは、転送された画像はユーザが他の装置に保存しておきたいと考えた画像であり、ユーザが出来栄えに納得している画像である可能性が高いという考え方に基づいている。
【００２８】
なお、ルール格納部１３に格納される評価ルールは、上述した例に限られない。例えば、ルール格納部１３には、上述した評価ルールＲ３と同様の考え方に基づいて、画像データをメールに添付する操作、Ｗｅｂサイトへアップロードする操作等に評価値「１（正例）」が対応付けられることを規定する評価ルールが格納されてもよい。また、閲覧時間（オープンされた状態が継続する時間）又は編集時間（画像編集中の状態が継続する時間）が長い画像は、ユーザが気に入ってじっくりと閲覧又は編集している画像である可能性が高いと考えられる。このような考え方に基づいて、ルール格納部１３には、閲覧時間又は編集時間（以下「閲覧時間等」）が所定の閾値時間以上であることに評価値「１（正例）」が対応付けられることを規定する評価ルールが格納されてもよい。それとは逆に、ルール格納部１３には、閲覧時間等が所定の閾値時間未満であることに評価値「０（負例）」が対応付けられることを規定する評価ルールが格納されてもよい。
【００２９】
操作受付部１４は、上述した入力装置１００５等を介して、画像データに対するユーザ操作を受け付ける。操作受付部１４は、一の画像データに対する操作（オープン等）を受け付けることもあれば、複数の画像データに対する一括操作（削除、転送等）を受け付けることもある。操作受付部１４は、このような操作を受け付けると、受け付けた操作を記録するための操作履歴を履歴格納部１２に格納する。
【００３０】
また、操作受付部１４は、データ格納部１１に格納された画像データのうち操作対象として指定された画像データにアクセスし、受け付けられた操作に応じた処理（例えば、オープン、削除等）を実行する。また、本実施形態においては、操作受付部１４は、画像データに対して予め定められた操作を実行した場合には、当該画像データのＥｘｉｆ情報内のフラグ情報を編集する。例えば、画像データに対して削除操作が実行された場合には、当該画像データの削除フラグをデフォルト値の「０」から削除操作が実行されたことを示す「１」に更新する。他の操作（例えば、保護操作、転送操作等）が実行された場合についても同様である。
【００３１】
なお、ユーザからの操作を受け付ける部分（操作受付部１４）と受け付けられた操作に応じた処理を実行する部分とは、別機能として分離されてもよい。例えば、操作受付部１４は、受け付けられた操作の内容を当該操作に応じた処理を実行する部分（例えば、画像評価装置１０にインストールされた所定のアプリケーション等）に受け渡してもよい。この場合、当該処理を実行する部分が、上述した操作受付部１４の処理（受け付けられた操作に応じた処理の実行及びフラグ情報の編集等）を実行してもよい。
【００３２】
操作受付部１４は、データ格納部１１に格納された画像データをデータ格納部１１から削除することを指示する操作を受け付けた場合には、削除対象として指定された画像データをデータ格納部１１から削除することなく、当該画像データを示す情報をデータ加工部１５に受け渡す。また、操作受付部１４は、画像データをデータ格納部１１から別の場所（例えば他装置等）に移動させることを指示する操作を受け付けた場合には、移動対象として指定された画像データを当該別の場所にコピーすると共に、当該画像データを示す情報をデータ加工部１５に受け渡す。
【００３３】
データ加工部１５は、操作受付部１４から取得した情報に基づいて、削除又は移動させる操作の対象として指定された画像データを特定する。続いて、データ加工部１５は、特定された画像データのデータサイズを縮小する加工処理を行う。例えば、データ加工部１５は、公知の解像度変換処理を実行することにより、高解像度（例えば、４０００×３０００ピクセル）の画像データを低解像度（例えば、２５６×２５６ピクセル）の画像データに変換する。これにより、画像データのピクセル数は、変換前の画像データのピクセル数の０．５％程度まで圧縮（約９９．５％削減）され、画像データのデータサイズについても、同様に圧縮される。
【００３４】
ここで、画像データの削除又は移動の操作が受け付けられた場合に当該画像データをデータ格納部１１から消去しない理由は、当該画像データを評価モデル生成用の学習データとして残しておくためである。評価モデルとは、例えば、任意の画像データの特徴量（例えば、上述した各画素の画素値等）を入力し、当該画像データの評価値を出力する評価関数である。このような評価モデルを生成するためには、予め正解（例えば正例であるか負例であるか）が判明している複数の画像データが、学習データとして必要となる。なお、学習データとしての画像データの解像度が大きい程、より精度の高い評価モデルを生成することができると考えられるが、現実的な処理時間と得られる評価モデルの精度とのバランスを考慮して、２５６×２５６ピクセルが学習データの解像度として一般的によく利用されている。
【００３５】
上述したように、データ加工部１５によって削除又は移動の操作の対象とされた画像データのデータサイズを十分に小さくすることで、データ格納部１１の空き容量を適切に確保することができる。すなわち、削除又は移動の操作によって本来解放されるべき記憶領域の大部分を解放することができ、データ格納部１１の記憶領域（メモリ１００２又はストレージ１００３の記憶領域）の圧迫を抑制することができる。さらに、削除又は移動の操作の対象とされた画像データを、評価モデル生成用の学習データとして適切なサイズ（ここでは、２５６×２５６ピクセル）に変換した上で、データ格納部１１に残すことができる。これにより、当該画像データを学習データとして活用することが容易となる。
【００３６】
履歴取得部１６は、データ格納部１１に格納された画像データに対するユーザによる一又は複数の操作を含む操作履歴を取得する。具体的には、履歴取得部１６は、履歴格納部１２を参照することで、データ格納部１１に格納された個々の画像データについての操作履歴を取得することができる。
【００３７】
なお、上述した通り、本実施形態では、各画像データのＥｘｉｆ情報の拡張領域に予め定められた操作が実行されたか否かを示すフラグ情報（削除フラグ、保護フラグ、転送フラグ等）が格納される。また、後述する評価部１７による評価値の決定において、このようなフラグ情報に示される操作履歴（特定の操作が実行されたか否かを示す情報）で十分な場合もあり得る。このような場合には、履歴取得部１６は、データ格納部１１を参照することで、評価部１７による評価対象の画像データのフラグ情報を操作履歴として取得してもよい。
【００３８】
評価部１７は、履歴取得部１６によって取得された画像データについての操作履歴と、ルール格納部１３に格納された評価ルールとに基づいて、画像データの評価値を決定する。例えば、評価部１７は、ユーザがマイナスの印象を抱いていることを示す「０」及びユーザがプラスの印象を抱いていることを示す「１」の２値のうちから、画像データの評価値を決定する。評価値が「０」に決定された画像データは、上述した評価モデルを生成するための負例（悪い例）として用いられる。評価値が「１」に決定された画像データは、上述した評価モデルを生成するための正例（良い例）として用いられる。
【００３９】
本実施形態では一例として、評価部１７は、画像データの評価値を決定した後、当該評価値を当該画像データのＥｘｉｆ情報に格納する。これにより、画像データのＥｘｉｆ情報を参照することにより、当該画像データの評価値を容易に把握することが可能となる。
【００４０】
続いて、図４〜図６を参照して、評価部１７による画像データの第１〜第３の評価例について説明する。
【００４１】
（第１の評価例）
図４を参照して、画像データの第１の評価例について説明する。この例は、図３に示した評価ルールＲ１を用いた評価を実施する例である。図４に示すテーブルの各レコード（各行）は、データ格納部１１に格納された複数（ここでは４つ）の画像データの状態を示す。具体的には、各レコードの情報は、例えば各画像データのＥｘｉｆ情報の一部として格納されている。ただし、各レコードにおける評価値は、本例における評価部１７によって評価値が決定された後に格納される値である。データＩＤは、画像データを一意に特定するための識別情報である。
【００４２】
図４に示す例では、画像データ「003.jpg」に対する削除操作が実行されている。このため、上述した操作受付部１４の処理により、画像データ「003.jpg」の削除フラグが「１」に設定されている。また、上述したデータ加工部１５の処理により、画像データ「003.jpg」の解像度は、２５６×２５６ピクセルに変換（圧縮）されている。履歴取得部１６は、各画像データの削除フラグ（削除操作が実行されたか否かを示す情報）を各画像データの操作履歴として取得する。
【００４３】
評価部１７は、評価ルールＲ１と履歴取得部１６により取得された各画像データの操作履歴とに基づいて、削除操作が実行された画像データ「003.jpg」の評価値を「０」に決定する。一方、評価部１７は、評価ルールＲ１に該当する操作（削除操作）が実行されていないその他の画像データについては、評価値を決定せず未判定とする。評価部１７は、各画像データについて決定された評価値を各画像データのＥｘｉｆ情報に格納することにより、各画像データと評価値とを関連付ける。
【００４４】
第１の評価例によれば、評価ルールＲ１と各画像データの削除フラグとに基づいて、ユーザが出来栄えに納得していない画像であると推定される画像データ（すなわち、削除操作が実行された画像データ）を負例として抽出することができる。なお、上記例において、削除操作が実行されていない画像データは、現時点でユーザが削除せずに残すことを意図した画像データであるとも考えられる。従って、評価部１７は、削除操作が実行されていない画像データの評価値を確定的又は暫定的に「１」に決定してもよい。
【００４５】
（第２の評価例）
図５を参照して、画像データの第２の評価例について説明する。この例は、図３に示した評価ルールＲ２を用いた評価を実施する例である。図５に示すテーブルの各レコードは、図４と同様に、データ格納部１１に格納された複数の画像データの状態を示す。
【００４６】
図５に示す例では、画像データ「002.jpg」に対する保護操作が実行されている。このため、上述した操作受付部１４の処理により、画像データ「002.jpg」の保護フラグが「１」に設定されている。履歴取得部１６は、各画像データの保護フラグ（保護操作が実行されたか否かを示す情報）を各画像データの操作履歴として取得する。
【００４７】
評価部１７は、評価ルールＲ２と履歴取得部１６により取得された各画像データの操作履歴とに基づいて、保護操作が実行された画像データ「002.jpg」の評価値を「１」に決定する。一方、評価部１７は、評価ルールＲ２に該当する操作（保護操作）が実行されていないその他の画像データについては、評価値を決定せず未判定とする。評価部１７は、各画像データについて決定された評価値を各画像データのＥｘｉｆ情報に格納することにより、各画像データと評価値とを関連付ける。
【００４８】
第２の評価例によれば、評価ルールＲ２と保護フラグとに基づいて、ユーザが出来栄えに納得している画像であると推定される画像データ（すなわち、保護操作が実行された画像データ）を正例として抽出することができる。なお、上記例において、保護操作が実行されていない画像データは、現時点でユーザが保護する価値があるとは考えていない画像データであるとも考えられる。従って、評価部１７は、保護操作が実行されていない画像データの評価値を確定的又は暫定的に「０」に決定してもよい。
【００４９】
（第３の評価例）
図６を参照して、画像データの第３の評価例について説明する。この例は、図３に示した評価ルールＲ３を用いた評価を実施する例である。図６に示すテーブルの各レコードは、図４及び図５と同様に、データ格納部１１に格納された複数の画像データの状態を示す。
【００５０】
図６に示す例では、画像データ「001.jpg」に対する転送操作が実行されている。このため、上述した操作受付部１４の処理により、画像データ「001.jpg」の転送フラグが「１」に設定されている。履歴取得部１６は、各画像データの転送フラグ（転送操作が実行されたか否かを示す情報）を各画像データの操作履歴として取得する。
【００５１】
評価部１７は、評価ルールＲ３と履歴取得部１６により取得された各画像データの操作履歴とに基づいて、転送操作が実行された画像データ「001.jpg」の評価値を「１」に決定する。一方、評価部１７は、評価ルールＲ３に該当する操作（転送操作）が実行されていないその他の画像データについては、評価値を決定せず未判定とする。評価部１７は、各画像データについて決定された評価値を各画像データのＥｘｉｆ情報に格納することにより、各画像データと評価値とを関連付ける。
【００５２】
第３の評価例によれば、評価ルールＲ３と転送フラグとに基づいて、ユーザが出来栄えに納得している画像であると推定される画像データ（すなわち、転送操作が実行された画像データ）を正例として抽出することができる。なお、上記例において、転送操作が実行されていない画像データは、現時点でユーザが他の装置に保存する価値があるとは考えていない画像データであるとも考えられる。従って、評価部１７は、転送操作が実行されていない画像データの評価値を確定的又は暫定的に「０」に決定してもよい。
【００５３】
続いて、一の画像データに対して複数の予め定められた操作がされた場合における、評価部１７による画像データの第４及び第５の評価例について説明する。以下の評価例では、履歴取得部１６は、評価対象となる一の画像データに対する複数の予め定められた操作を含む操作履歴を取得する。また、評価部１７は、操作履歴に含まれる複数の予め定められた操作の各々に対応する評価値を算出し、複数の予め定められた操作の各々に対応する評価値に基づいて一の画像データの評価値を決定する。
【００５４】
（第４の評価例）
本例の前提として、ルール格納部１３は、予め定められた操作に複数の段階値のいずれかを対応付けた評価ルールを格納している。ここでは一例として、ルール格納部１３は、評価ルールとして、画像データが正例であることを示す評価値（本実施形態では「１」）に第１操作が対応付けられることを示す第１評価ルールと、画像データが負例であることを示す評価値（本実施形態では「０」）に第２操作が対応付けられることを示す第２評価ルールと、を含む。すなわち、本例では、複数の段階値として、正例であることを示す評価値「１」と負例であることを示す評価値「０」との２つの段階値がある。例えば、上述した図３の例では、評価値「１」に保護操作及び転送操作が対応付けられることを示す評価ルールＲ２及びＲ３は、第１評価ルールに該当し、保護操作及び転送操作は、第１操作に該当する。一方、評価値「０」に削除操作が対応付けられることを示す評価ルールＲ１は、第２評価ルールに該当し、削除操作は、第２操作に該当する。ただし、上述した通り、評価ルールの例は図３の例に限られないため、第１操作及び第２操作に該当する操作例についても、削除操作、保護操作、及び転送操作に限られない。例えば、第１操作に該当する操作の他の例としては、閲覧時間又は編集時間が所定の閾値時間以上であるオープン操作又は編集操作が挙げられる。また、第２操作に該当する操作の他の例としては、閲覧時間又は編集時間が所定の閾値時間未満であるオープン操作又は編集操作が挙げられる。
【００５５】
評価部１７は、評価対象となる一の画像データについての操作履歴に含まれる各操作が第１操作及び第２操作のいずれに該当するかを判定する。そして、評価部１７は、第１操作に該当すると判定された操作の数と第２操作に該当すると判定された操作の数とに基づいて、一の画像データの評価値を正例であることを示す評価値（本実施形態では「１」）又は負例であることを示す評価値（本実施形態では「０」）に決定する。例えば、第１操作に該当する操作の数が第２操作に該当する操作の数よりも多い場合、評価部１７は、一の画像データを正例に決定する。一方、第１操作に該当する操作の数が第２操作に該当する操作の数よりも少ない場合、評価部１７は、一の画像データを負例に決定する。
【００５６】
第４の評価例によれば、画像データが正例であることを示唆する第１操作の実行回数と画像データが負例であることを示唆する第２操作の実行回数との比較結果に基づいて、画像データの評価（正例又は負例への分類）の精度を向上し得る。なお、ルール格納部１３は、予め定められた操作に３つ以上の複数の段階値のいずれかを対応付けた評価ルールを格納していてもよい。この場合、段階値の数が２つの場合と同様に、評価部１７は、一の画像データについての操作履歴に含まれる複数の予め定められた操作の各々が複数の段階値のいずれに対応付けられる操作であるかを判定し、複数の段階値の各々に対応付けられると判定された操作の数に基づいて、一の画像データの評価値を複数の段階値のいずれかに決定することができる。
【００５７】
（第５の評価例）
本例では、評価部１７は、一の画像データについての操作履歴に含まれる複数の予め定められた操作の実行順序に基づいて、一の画像データの評価値を決定する。なお、評価部１７は、操作履歴に含まれる各操作の操作日時に基づいて、複数の操作間の時間的な順序関係を把握することができる。
【００５８】
例えば、評価部１７は、複数の予め定められた操作のうち最初に実行された操作に対応付けられる評価値を一の画像データの評価値として決定してもよい。この場合、最初にユーザに実行された操作（画像データに対するユーザの最初の印象を表す操作）に基づく評価値を画像データの評価値として確定させることができる。すなわち、２回目以降の操作によって評価値が上書きされてしまうことを防ぐことができる。
【００５９】
また、評価部１７は、複数の予め定められた操作のうち最後に実行された操作に対応付けられる評価値を一の画像データの評価値として決定してもよい。この場合、画像データの評価値は、ユーザの操作毎に更新されることになる。これにより、画像データに対するユーザの最後（最新）の印象を表す操作に基づく評価値を画像データの評価値とすることができる。
【００６０】
なお、ユーザが画像データを別の装置に転送した後に当該画像データを画像評価装置１０から削除する場合が考えられる。この場合の削除操作は、ユーザが気に入った画像データを別装置にコピーした後の削除操作であるから、ユーザが気に入っていない画像データに対する削除操作とは、操作の目的が本質的に異なると考えられる。従って、このような一連の操作がされた場合に、上述のように最後に実行された操作（すなわち削除操作）に対応付けられる評価値「０（負例）」が画像データの評価値として決定されることは適切ではない。そこで、画像評価装置１０（例えばルール格納部１３等）において、複数の予め定められた操作についての特定の実行順序に対応付けられる評価値が予め設定されていてもよい。そして、評価部１７は、画像データについての操作履歴において当該特定の実行順序を検出した場合、当該実行順序に対応付けられる評価値を画像データの評価値として決定してもよい。例えば、画像評価装置１０において、転送操作の後に削除操作がされるという特定の実行順序に対応付けられる評価値「１（正例）」が予め設定されており、当該実行順序が検出された場合には、評価部１７は、当該評価値「１（正例）」を画像データの評価値として決定してもよい。
【００６１】
第５の評価例によれば、複数の予め定められた操作の実行順序に基づいて、画像データの評価の精度を向上し得る。
【００６２】
続いて、図７に示すフローチャートを参照して、画像評価装置１０の動作の一例を説明する。
【００６３】
操作受付部１４は、データ格納部１１に格納された画像データに対するユーザ操作（削除操作、保護操作、転送操作等）を受け付ける（ステップＳ１）。続いて、操作受付部１４は、受け付けられた操作が画像データをデータ格納部１１から削除又は移動させることを指示する操作（以下「削除操作等」）であるか否かを判定する（ステップＳ２）。
【００６４】
受け付けられた操作が削除操作等である場合（ステップＳ２：ＹＥＳ）、データ加工部１５は、削除又は移動させる操作の対象として指定された画像データのデータサイズを縮小する加工処理（圧縮処理）を行う（ステップＳ３）。また、操作受付部１４は、受け付けた操作を記録するための操作履歴を履歴格納部１２に格納する（ステップＳ４）。
【００６５】
続いて、履歴取得部１６は、例えば履歴格納部１２を参照することで、評価対象の画像データ（本実施形態では、データ格納部１１に格納された各画像データ）についての操作履歴を取得する（ステップＳ５）。なお、上述した通り、履歴取得部１６は、各画像データのＥｘｉｆ情報に含まれるフラグ情報を操作履歴として取得してもよい。
【００６６】
続いて、評価部１７は、履歴取得部１６によって取得された画像データについての操作履歴と、ルール格納部１３に格納された評価ルールとに基づいて、画像データの評価値を決定する（ステップＳ６）。評価部１７は、例えば上述した第１〜第５の評価例のような処理を実行することで、画像データの評価値を決定し、当該評価値を画像データに関連付ける（例えばＥｘｉｆ情報に格納する）。
【００６７】
続いて、図８を参照して、コンピュータを画像評価装置１０として機能させるための画像評価プログラムＰについて説明する。
【００６８】
画像評価プログラムＰは、メインモジュールＰ１０、データ格納モジュールＰ１１、履歴格納モジュールＰ１２、ルール格納モジュールＰ１３、操作受付モジュールＰ１４、データ加工モジュールＰ１５、履歴取得モジュールＰ１６、及び評価モジュールＰ１７を備える。メインモジュールＰ１０は、画像評価装置１０としての処理を統括的に制御する部分である。データ格納モジュールＰ１１、履歴格納モジュールＰ１２、ルール格納モジュールＰ１３、操作受付モジュールＰ１４、データ加工モジュールＰ１５、履歴取得モジュールＰ１６、及び評価モジュールＰ１７を実行することにより実現される機能は、それぞれ、画像評価装置１０のデータ格納部１１、履歴格納部１２、ルール格納部１３、操作受付部１４、データ加工部１５、履歴取得部１６、及び評価部１７の機能と同様である。
【００６９】
画像評価プログラムＰは、例えば、ＣＤ−ＲＯＭ、ＤＶＤ若しくはＲＯＭ等の記録媒体又は半導体メモリによって提供される。また、画像評価プログラムＰは、搬送波に重畳されたコンピュータデータ信号としてネットワークを介して提供されてもよい。
【００７０】
以上述べた画像評価装置１０では、ルール格納部１３が、画像データに対する予め定められた操作（例えば、削除操作、転送操作等）に対応付けられる評価値を規定する評価ルール（例えば図３に示す評価ルールＲ１〜Ｒ３等）を格納している。評価部１７が、この評価ルールと履歴取得部１６により取得されたユーザによる画像データについての操作履歴とに基づいて、画像データの評価値を決定する。このように、画像データに対してどのようなユーザ操作が実行されたかに基づいて評価が行われるため、ユーザの嗜好を反映した画像データの評価が実現される。また、画像データに対する通常のユーザ操作に基づいて当該画像データの評価が行われるため、画像データを評価するにあたって、ユーザによる特別な前処理（例えば、正例又は負例を示す代表画像の選択等の処理）が必要とされない。従って、画像評価装置１０によれば、ユーザの手間を抑制しつつ、ユーザの嗜好を反映した画像データに対する評価を行うことができる。
【００７１】
なお、本発明は、上述した実施形態に限定されるものではない。
【００７２】
例えば、画像データが複数の装置（例えばデジタルカメラ、スマートフォン、ＰＣ、サーバ等）間で移動し、各装置上でユーザによる操作が実行される場合があり得る。この場合、各装置で実行された操作を記録する全ての操作ログ（操作履歴）は、画像データのＥｘｉｆ情報に格納されてもよい。この場合、複数の装置上で実行された操作の操作履歴が画像データに付随するため、画像評価装置１０が上述の複数の装置のいずれに実装される場合であっても、画像データについての操作履歴を参照して画像データの評価を行うことができる。
【００７３】
また、各装置で実行された操作の操作履歴は、上述した複数の装置のいずれかで一元的に管理されてもよい。この場合、例えば、操作履歴を管理しない各装置は、当該各装置上での画像データに対するユーザ操作を記録した操作履歴を、定期的又は操作が実行される度に、操作履歴を管理する装置に送信するように構成されればよい。この場合、履歴取得部１６は、操作履歴を管理する装置から評価対象の画像データの操作履歴を取得すればよい。
【００７４】
また、上記実施形態では、閲覧時間等が所定の閾値時間以上（又は閾値時間未満）であることに対して評価値「１（正例）」（又は評価値「０（負例）」）が対応付けられる例を示したが、閲覧時間等の長さ自体を評価値として対応付けることを規定する評価ルールが用いられてもよい。この場合、評価値は、連続的な数値によって表現される。また、閲覧時間等の長さを評価値とする場合、評価部１７は、複数の異なる閲覧操作（オープン操作）又は編集操作毎の閲覧時間等を足し合わせた合計時間を、画像データの評価値としてもよい。
【００７５】
なお、上記実施形態の説明に用いたブロック図（図１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【００７６】
例えば、上記実施形態における画像評価装置１０は、上記実施形態の画像評価装置１０の処理を行うコンピュータとして機能してもよい。上述した通り、図２は、本実施形態に係る画像評価装置１０のハードウェア構成の一例を示す図である。上述の画像評価装置１０は、物理的には、プロセッサ１００１、メモリ１００２、ストレージ１００３、通信装置１００４、入力装置１００５、出力装置１００６、及びバス１００７等を含むコンピュータ装置として構成されてもよい。
【００７７】
なお、以下の説明では、「装置」という文言は、回路、デバイス、ユニット等に読み替えることができる。画像評価装置１０のハードウェア構成は、図２に示された各装置を１つ又は複数含むように構成されてもよいし、一部の装置を含まずに構成されてもよい。
【００７８】
画像評価装置１０における各機能は、プロセッサ１００１、メモリ１００２等のハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００７９】
プロセッサ１００１は、例えば、オペレーティングシステムを動作させてコンピュータ全体を制御する。プロセッサ１００１は、周辺装置とのインターフェース、制御装置、演算装置、レジスタ等を含む中央処理装置（ＣＰＵ：Central  Processing  Unit）で構成されてもよい。
【００８０】
また、プロセッサ１００１は、プログラム（プログラムコード）、ソフトウェアモジュール、及び／又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、画像評価装置１０の評価部１７は、メモリ１００２に格納され、プロセッサ１００１で動作する制御プログラムによって実現されてもよく、図１に示した他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【００８１】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）等の少なくとも１つで構成されてもよい。メモリ１００２は、レジスタ、キャッシュ、メインメモリ（主記憶装置）等と呼ばれてもよい。メモリ１００２は、上記実施形態に係る情報処理方法（図７のフローチャートに示される手順等）を実施するために実行可能なプログラム（プログラムコード）、ソフトウェアモジュール等を保存することができる。
【００８２】
ストレージ１００３は、コンピュータ読み取り可能な記録媒体であり、例えば、ＣＤ−ＲＯＭ（Compact  Disc  ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つで構成されてもよい。ストレージ１００３は、補助記憶装置と呼ばれてもよい。上述の記憶媒体は、例えば、メモリ１００２及び／又はストレージ１００３を含むデータベース、サーバ、その他の適切な媒体であってもよい。
【００８３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。
【００８４】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤランプ等）である。なお、入力装置１００５及び出力装置１００６は、一体となった構成（例えば、タッチパネル）であってもよい。
【００８５】
また、プロセッサ１００１及びメモリ１００２等の各装置は、情報を通信するためのバス１００７で接続される。バス１００７は、単一のバスで構成されてもよいし、装置間で異なるバスで構成されてもよい。
【００８６】
また、画像評価装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００８７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更された態様として実施することができる。したがって、本明細書の記載は、例示説明を目的とするものであり、本発明に対して何ら制限的な意味を有するものではない。
【００８８】
本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【００８９】
入出力された情報等は特定の場所（例えば、メモリ）に保存されてもよいし、管理テーブルで管理されてもよい。入出力される情報等は、上書き、更新、又は追記され得る。出力された情報等は削除されてもよい。入力された情報等は他の装置へ送信されてもよい。
【００９０】
判定は、１ビットで表される値（０か１か）によって行われてもよいし、真偽値（Boolean：true又はfalse）によって行われてもよいし、数値の比較（例えば、所定の値との比較）によって行われてもよい。
【００９１】
本明細書で説明した各態様／実施形態は単独で用いられてもよいし、組み合わせて用いられてもよいし、実行に伴って切り替えて用いられてもよい。
【００９２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。
【００９３】
また、ソフトウェア、命令等は、伝送媒体を介して送受信されてもよい。例えば、ソフトウェアが、同軸ケーブル、光ファイバケーブル、ツイストペア及びデジタル加入者回線（ＤＳＬ）等の有線技術及び／又は赤外線、無線及びマイクロ波等の無線技術を使用してウェブサイト、サーバ、又は他のリモートソースから送信される場合、これらの有線技術及び／又は無線技術は、伝送媒体の定義内に含まれる。
【００９４】
本明細書で説明した情報及び信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【００９５】
なお、本明細書で説明した用語及び／又は本明細書の理解に必要な用語については、同一の又は類似する意味を有する用語と置き換えてもよい。
【００９６】
また、本明細書で説明した情報、パラメータ等は、絶対値で表されてもよいし、所定の値からの相対値で表されてもよいし、対応する別の情報で表されてもよい。
【００９７】
上述したパラメータに使用される名称はいかなる点においても限定的なものではない。さらに、これらのパラメータを使用する数式等は、本明細書で明示的に開示したものと異なる場合もある。
【００９８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」との両方を意味する。
【００９９】
「含む（including）」、「含んでいる（including）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」及び「或いは（or）」は、排他的論理和ではないことが意図される。
【０１００】
本明細書において、文脈又は技術的に明らかに１つのみしか存在しない装置であることが示されていなければ、複数の装置をも含むものとする。
【０１０１】
本明細書で使用する「決定(determining)」という用語は、多種多様な動作を包含する場合がある。「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「決定」したとみなす事等を含み得る。また、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「決定」したとみなす事等を含み得る。また、「決定」は、解決(resolving)、選択(selecting)、選定(choosing)、確立(establishing)、比較(comparing)等した事を「決定」したとみなす事を含み得る。つまり、「決定」は、何らかの動作を「決定」したとみなす事を含み得る。
【０１０２】
本開示の全体において、文脈から明らかに単数を示したものではなければ、複数のものを含むものとする。
【符号の説明】
【０１０３】
１０…画像評価装置、１１…データ格納部、１２…履歴格納部、１３…ルール格納部、１４…操作受付部、１５…データ加工部、１６…履歴取得部、１７…評価部、１００１…プロセッサ、１００２…メモリ、１００３…ストレージ、１００４…通信装置、１００５…入力装置、１００６…出力装置、１００７…バス、１００８…カメラモジュール、Ｐ…画像評価プログラム、Ｐ１１…データ格納モジュール、Ｐ１２…履歴格納モジュール、Ｐ１３…ルール格納モジュール、Ｐ１４…操作受付モジュール、Ｐ１５…データ加工モジュール、Ｐ１６…履歴取得モジュール、Ｐ１７…評価モジュール。
【図１】
2018077711.tif 000003
【図２】
2018077711.tif 000004
【図３】
2018077711.tif 000005
【図４】
2018077711.tif 000006
【図５】
2018077711.tif 000007
【図６】
2018077711.tif 000008
【図７】
2018077711.tif 000009
【図８】
2018077711.tif 000010